(57)【要約】      （修正有）【課題】扉の指挟み防止装置に関し、遠心力により突出したストッパー部材が戸枠に衝突した際の衝撃を減衰する。【解決手段】扉１０の指挟み防止装置３０は、扉１０の戸先に固定されるベース７０と、ベース７０にスライド可能に取り付けられ、所定の遠心力を受けたときに、戸枠に向かって突出し、扉１０と戸枠２０との間に挟まるストッパー部材６０とを備える。ベース７０は、遠心力により突出したストッパー部材６０が戸枠20に衝突した際に、扉１０に対して垂直方向に変位することで、衝突時の衝撃を減衰することができるようにしている。ベース７０と扉１０との間には、衝撃を吸収するための緩衝部材９０を設けるようにしても良い。【選択図】図１
2010174600.tif 000002
【特許請求の範囲】
【請求項１】
扉の戸先に固定されるベースと、
前記ベースにスライド可能に取り付けられ、所定の遠心力を受けたときに、戸枠に向かって突出し、前記扉と前記戸枠との間に挟まるストッパー部材とから構成される扉の指挟み防止装置において、
前記ベースは、遠心力により突出した前記ストッパー部材が前記戸枠に衝突した際に、扉に対して垂直方向に変位することで、前記衝突時の衝撃を減衰することができるようにしていることを特徴とする扉の指挟み防止装置。
【請求項２】
請求項１に記載の扉の指挟み防止装置であって、
前記ベースと前記扉との間には、
前記衝撃を吸収するための緩衝部材を設けていることを特徴とする扉の指挟み防止装置。
【請求項３】
請求項１又は請求項２に記載の扉の指挟み防止装置であって、
前記ベースと前記扉との間には、
前記ベースを前記扉に取り付けるための取付金具を備え、
前記取付金具には、
前記扉に当接した状態で当該扉に固定される取付脚と、
前記ベースを固定するとともに、前記扉の表面から離れて位置し、一端部が前記取付脚にヒンジ部を介してつながる支持プレートとを備えていることを特徴とする扉の指挟み防止装置。
【請求項４】
請求項３に記載の扉の指挟み防止装置であって、
前記ヒンジ部は前記扉のドアヒンジ側に位置していることを特徴とする扉の指挟み防止装置。
【請求項５】
請求項３に記載の扉の指挟み防止装置であって、
前記ヒンジ部は前記扉の戸先側に位置していることを特徴とする扉の指挟み防止装置。
【請求項６】
請求項１〜５のいずれか１項に記載の扉の指挟み防止装置であって、
前記指挟み防止装置には、
遠心力により突出した前記ストッパー部材を引き戻すための復帰バネを備えていることを特徴とする扉の指挟み防止装置。
【発明の詳細な説明】
【技術分野】
【０００１】
この発明は、扉の指挟み防止装置に関し、遠心力により突出したストッパー部材が戸枠に衝突した際の衝撃を減衰することができるようにしたものである。
【背景技術】
【０００２】
従来、扉の指挟み防止装置に関しては、所定の遠心力を受けたときに、戸枠に向かって当り片を突出させ、ドアとドア枠との間に隙間を形成することで、指詰め或いは指挟み事故を防止することができるようにしたものが知られている（例えば特許文献１の段落番号「０００４」、段落番号「００１３」〜「００１４」及び図１〜５参照）。
【先行技術文献】
【特許文献】
【０００３】
【特許文献１】特許2558068号公報（段落番号「０００４」、段落番号「００１３」〜「００１４」及び図１〜５）
【発明の概要】
【発明が解決しようとする課題】
【０００４】
しかし、上記した従来の装置では、当り片が戸枠に衝突した際の衝撃が当該装置に直接伝わるため、当該装置を破損したり、或いはドアやドアヒンジを破損するおそれもあるという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００５】
すなわち、請求項１に記載の発明は、遠心力により突出したストッパー部材が戸枠に衝突した際の衝撃を減衰することができるようにしたものである。
その結果、請求項１に記載の発明によれば、指挟み防止装置の破損を未然に防止することができる。
（請求項２）
請求項２に記載の発明は、上記した請求項１に記載の発明の目的に加え、次の点を目的とする。
【０００６】
すなわち、請求項２に記載の発明は、遠心力により突出したストッパー部材が戸枠に衝突した際の衝撃を、緩衝部材を介して吸収することができるようにしたものである。
（請求項３）
請求項３に記載の発明は、上記した請求項１又は請求項２に記載の発明の目的に加え、次の点を目的とする。
【０００７】
すなわち、請求項３に記載の発明は、遠心力により突出したストッパー部材が戸枠に衝突した際に、取付金具のヒンジ部を介してベースを固定した支持プレートが、扉の表面から接離する方向に変位することで、衝突時の衝撃を減衰することができるようにしたものである。
（請求項４）
請求項４に記載の発明は、上記した請求項３に記載の発明の目的に加え、次の点を目的とする。
【０００８】
すなわち、請求項４に記載の発明は、取付金具のヒンジ部をドアヒンジ側に位置させることで、遠心力により突出したストッパー部材が戸枠に衝突した際に、ベースを固定した支持プレートを扉の表面に接近する方向に変位させることができるようにしたものである。
（請求項５）
請求項５に記載の発明は、上記した請求項３に記載の発明の目的に加え、次の点を目的とする。
【０００９】
すなわち、請求項５に記載の発明は、取付金具のヒンジ部を戸先側に位置させることで、遠心力により突出したストッパー部材が戸枠に衝突した際に、ベースを固定した支持プレートを扉の表面から離隔する方向に変位させることができるようにしたものである。
（請求項６）
請求項６に記載の発明は、上記した請求項１〜５のいずれか１項に記載の発明の目的に加え、次の点を目的とする。
【００１０】
すなわち、請求項６に記載の発明は、遠心力により突出したストッパー部材を、復帰バネにより引き戻すことで復帰させることができるようにしたものである。
【課題を解決するための手段】
【００１１】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１２】
第１に、扉(10)の指挟み防止装置(30)は、例えば図１〜３に示すように、次の構成から構成されている。
（１）ベース(70)
ベース(70)は、例えば図１に示すように、扉(10)の戸先に固定されるものである。
（２）ストッパー部材(60)
ストッパー部材(60)は、例えば図１〜３に示すように、ベース(70)にスライド可能に取り付けられ、所定の遠心力を受けたときに、戸枠(20)に向かって突出し、扉(10)と戸枠(20)との間に挟まるものである。
【００１３】
第２に、ベース(70)は、図示しないが、遠心力により突出したストッパー部材(60)が戸枠(20)に衝突した際に、扉(10)に対して垂直方向に変位することで、衝突時の衝撃を減衰することができるようにしている。
（請求項２）
請求項２に記載の発明は、上記した請求項１に記載の発明の特徴点に加え、次の点を特徴とする。
【００１４】
すなわち、ベース(70)と扉(10)との間には、例えば図１〜３に示すように、衝撃を吸収するための緩衝部材(90)を設けている。
（請求項３）
請求項３に記載の発明は、上記した請求項１又は請求項２に記載の発明の特徴点に加え、次の点を特徴とする。
【００１５】
第１に、ベース(70)と扉(10)との間には、例えば図１〜３に示すように、ベース(70)を扉(10)に取り付けるための取付金具(80)を備えている。
第２に、取付金具(80)には、例えば図１〜３に示すように、次の構成を備えている。
（１）取付脚(81)
取付脚(81)は、例えば図１に示すように、扉(10)に当接した状態で当該扉(10)に固定されるものである。
【００１６】
（２）支持プレート(82)
支持プレート(82)は、例えば図１に示すように、ベース(70)を固定するとともに、扉(10)の表面から離れて位置し、一端部が取付脚(81)にヒンジ部(83)を介してつながるものである。
（請求項４）
請求項４に記載の発明は、上記した請求項３に記載の発明の特徴点に加え、次の点を特徴とする。
【００１７】
すなわち、ヒンジ部(83)は、例えば図１に示すように、扉(10)のドアヒンジ側に位置している。
（請求項５）
請求項５に記載の発明は、上記した請求項３に記載の発明の特徴点に加え、次の点を特徴とする。
【００１８】
すなわち、ヒンジ部(103)は、例えば図４に示すように、扉(10)の戸先側に位置している。
（請求項６）
請求項６に記載の発明は、上記した請求項１〜５のいずれか１項に記載の発明の特徴点に加え、次の点を特徴とする。
【００１９】
すなわち、指挟み防止装置(30)には、例えば図６及び図７に示すように、遠心力により突出したストッパー部材(110)を引き戻すための復帰バネ(150)を備えている。
【発明の効果】
【００２０】
本発明は、以上のように構成されているので、以下に記載されるような効果を奏する。
（請求項１）
請求項１に記載の発明によれば、次のような効果を奏する。
すなわち、請求項１に記載の発明によれば、遠心力により突出したストッパー部材が戸枠に衝突した際の衝撃を減衰することができる。
【００２１】
その結果、請求項１に記載の発明によれば、指挟み防止装置の破損を未然に防止することができる。
（請求項２）
請求項２に記載の発明によれば、上記した請求項１に記載の発明の効果に加え、次のような効果を奏する。
【００２２】
すなわち、請求項２に記載の発明によれば、遠心力により突出したストッパー部材が戸枠に衝突した際の衝撃を、緩衝部材を介して吸収することができる。
（請求項３）
請求項３に記載の発明によれば、上記した請求項１又は請求項２に記載の発明の効果に加え、次のような効果を奏する。
【００２３】
すなわち、請求項３に記載の発明によれば、遠心力により突出したストッパー部材が戸枠に衝突した際に、取付金具のヒンジ部を介してベースを固定した支持プレートが、扉の表面から接離する方向に変位することで、衝突時の衝撃を減衰することができる。
（請求項４）
請求項４に記載の発明によれば、上記した請求項３に記載の発明の効果に加え、次のような効果を奏する。
【００２４】
すなわち、請求項４に記載の発明によれば、取付金具のヒンジ部をドアヒンジ側に位置させることで、遠心力により突出したストッパー部材が戸枠に衝突した際に、ベースを固定した支持プレートを扉の表面に接近する方向に変位させることができる。
（請求項５）
請求項５に記載の発明によれば、上記した請求項３に記載の発明の効果に加え、次のような効果を奏する。
【００２５】
すなわち、請求項５に記載の発明によれば、取付金具のヒンジ部を戸先側に位置させることで、遠心力により突出したストッパー部材が戸枠に衝突した際に、ベースを固定した支持プレートを扉の表面から離隔する方向に変位させることができる。
（請求項６）
請求項６に記載の発明によれば、上記した請求項１〜５のいずれか１項に記載の発明の効果に加え、次のような効果を奏する。
【００２６】
すなわち、請求項６に記載の発明によれば、遠心力により突出したストッパー部材を、復帰バネにより引き戻すことで復帰させることができる。
【図面の簡単な説明】
【００２７】
【図１】本発明の第１の実施の形態の一例を示し、同図は扉の指挟み防止装置の作動状態を示す扉の周囲の一部断面図である。
【図２】扉の指挟み防止装置の分解斜視図である。
【図３】装置本体を裏側から見た斜視図である。
【図４】本発明の第２の実施の形態の一例を示し、同図は扉の指挟み防止装置の作動状態を示す扉の周囲の一部断面図である。
【図５】本発明の第３の実施の形態の一例を示し、同図は装置本体の斜視図である。
【図６】図５の装置本体を裏側から見た斜視図である。
【図７】図５の装置本体の作動状態を示す扉の周囲の一部断面図である。
【図８】本発明の第４の実施の形態の一例を示し、同図は扉の指挟み防止装置の作動状態を示す扉の周囲の一部断面図である。
【発明を実施するための形態】
【００２８】
（扉10）
図１中、10は、扉を示すものであり、扉10は、戸枠20の扉開口21に、図示しないが、ヒンジを介して開閉可能に取り付けられている。
扉10の戸先には、図１に示すように、指挟み防止装置30が取り付けられている。
（指挟み防止装置30）
指挟み防止装置30は、風圧や、扉10を勢いよく閉じた際に、扉10が閉じる際に発生する遠心力が所定の値を超えた場合に、扉10の戸先から戸枠20の縦枠に向かって突出し、扉10の戸先と戸枠20の縦枠との間に、指を入れられる程度の隙間を形成することで、指詰め或いは指挟み事故を防止するためのものである。
【００２９】
具体的には、指挟み防止装置30には、図２に示すように、大別すると、次のパーツを備える。
なお、次の（１）〜（２）については、後述する。
（１）装置本体40
（２）ケース50
なお、指挟み防止装置30のパーツは、上記した（１）〜（２）に限定されない。
（装置本体40）
装置本体40は、図１に示すように、扉10の戸先の上側に固定されている。
【００３０】
なお、装置本体40を、扉10の上側に固定したが、これに限らず、扉10の高さの途中や下側に固定しても良い。
装置本体40には、図１〜３に示すように、大別すると、次のパーツを備える。
なお、次の（１）〜（４）については、後述する。
（１）ストッパー部材60
（２）ベース70
（３）取付金具80
（４）緩衝部材90
なお、装置本体40のパーツは、上記した（１）〜（４）に限定されない。
（ケース50）
ケース50は、図２に示すように、装置本体40を覆うものであり、装置本体40に対して着脱可能に取り付けられる。
【００３１】
また、ケース50の一端部及び下面は、図示しないが、開口し、開口した一端部からストッパー部材60が出入り可能になっている。
（ストッパー部材60）
ストッパー部材60は、図１〜３に示すように、後述するベース70にスライド可能に取り付けられ、所定の遠心力を受けたときに、戸枠20に向かって突出し、扉10と戸枠20との間に挟まるものである。
【００３２】
具体的には、ストッパー部材60には、図１〜３に示すように、次の構成を備える。
なお、ストッパー部材60の構成は、次の（１）〜（４）に限定されない。
（１）大径部61
大径部61は、図１〜３に示すように、円柱形の比較的大径に形成され、ストッパー部材60が突出した際に、扉10と戸枠20との間に挟まるものである。
【００３３】
（２）軸部62
軸部62は、図１〜３に示すように、大径部61の端部から細くなって円柱形に延び、後述するベース70にスライド可能に取り付けられものである。
（３）抜止部63
抜止部63は、図１〜３に示すように、軸部62の端部から円形に張り出し、その外径を後述するベース70の貫通孔71の内径より大きく設定している。
【００３４】
（４）クッション材64
クッション材64は、例えばゴム製で、適度な弾性と剛性とを有し、図１〜３に示すように、円筒形に形成され、大径部61の外周にはめ付けられている。
（ベース70）
ベース70は、図１に示すように、扉10の戸先に固定され、ストッパー部材60をスライド可能に支持するためのものである。
【００３５】
具体的には、ベース70には、図２及び図３に示すように、次の構成を備える。
なお、ベース70の構成は、次の（１）〜（２）に限定されない。
（１）貫通孔71
貫通孔71は、図２に示すように、ベース70を貫通し、断面円形に形成されている。貫通孔71には、ストッパー部材60の軸部62が通り、当該軸部62をスライド可能に支持する。
【００３６】
（２）底板72
底板72は、図２及び図３に示すように、ベース70の底部から張り出し、後述するクッション材64を介して扉10の表面に対向する。
（取付金具80）
取付金具80は、図１〜３に示すように、ベース70を扉10に取り付けるためのものである。ベース70は、取付金具80により扉10に取り付けられた状態において、図示しないが、遠心力により突出したストッパー部材60が戸枠20に衝突した際に、扉10に対して垂直方向に変位することで、衝突時の衝撃を減衰することができるように構成される。
【００３７】
取付金具80には、図１〜３に示すように、次の構成を備える。
なお、取付金具80の構成は、次の（１）〜（２）に限定されない。
（１）取付脚81
取付脚81は、図１に示すように、扉10に当接した状態で当該扉10に固定されるものである。
【００３８】
具体的には、取付脚81は、図１〜３に示すように、後述する支持プレート82の端部から断面Ｌ字形に折れ曲がって延び、支持プレート82の幅方向に離れて一対形成されている。
取付脚81は、図１に示すように、扉10のドアヒンジ側に位置するように、扉10の表面に、図示しないが、ネジや釘等を使用して固定され、このとき、後述する支持プレート82が取付脚81と逆に扉10の戸先側に位置するように取り付けられる。
【００３９】
取付脚81の高さは、後述する支持プレート82の厚みと、ベース70の底板72の厚みとを加えた高さよりも高く設定され、取付脚81を使用してベース70を扉10の表面に固定した際に、ベース70の底板72が扉10の表面から少し浮上するようにしている。そして、浮上した間隔内にクッション材64を位置させることで、取付金具80を介して、ベース70を扉10に対して垂直方向に変位可能に取り付けている。
【００４０】
（２）支持プレート82
支持プレート82は、図１に示すように、ベース70を固定するとともに、扉10の表面から離れて位置し、一端部が取付脚81にヒンジ部83を介して連結されている。
具体的には、支持プレート82は、図１〜３に示すように、板状に形成され、その下面がベース70の底板72の上面に固定される。
【００４１】
また、ヒンジ部83は、支持プレート82と取付脚81との間の断面Ｌ字形に折れ曲がった部分が相当する。
支持プレート82は、図示しないが、ストッパー部材60が戸枠20に衝突した際に、ヒンジ部83を中心に扉10の表面に接近する方向に変位する。
（緩衝部材90）
緩衝部材90は、図１に示すように、ベース70と扉10との間に位置し、ストッパー部材60が戸枠20に衝突した際の衝撃を吸収するためのものである。
【００４２】
具体的には、緩衝部材90は、例えばゴム製で、適度な弾性と剛性とを有し、図３に示すように、板状に形成されている。緩衝部材90は、ベース70の底板72の下面に接着され、当該底板72の幅方向に離れて一対使用されている。
なお、緩衝部材90の個数は、一対に限らず、１個或いは３個以上使用しても良い。
（指挟み防止装置30の動作）
つぎに、上記した構成を備える指挟み防止装置30の動作について説明する。
【００４３】
まず、装置本体40を、図１に示すように、扉10の戸先側に固定し、固定後、ケース50を取り付ける。
この取り付け状態では、ストッパー部材60のクッション材64が、図２に示すように、ベース70に接近した非突出状態にある。
扉10の通常の開閉に際しては、ストッパー部材60の軸部62の外周と、ベース70の貫通孔71の内周との間の摩擦抵抗により、ストッパー部材60は、非突出状態を維持する。
【００４４】
これに対し、風圧や、扉10を勢いよく閉じた際に、扉10が閉じる際に発生する遠心力が所定の値を超えると、軸部62と貫通孔71との間の摩擦抵抗に抗して、軸部62が貫通孔71中をスライドし、ストッパー部材60のクッション材64が、図１に示すように、ベース70から離隔する方向に移動して突出状態となる。
このため、突出状態のクッション材64が、図１に示すように、戸枠20の縦枠に衝突することで、扉10の戸先と戸枠20の縦枠との間に、指を入れられる程度の隙間が形成される。
【００４５】
また、戸枠20の衝突時には、ヒンジ部83を中心に支持プレート82を扉10の表面に接近する方向に回転しようとするモーメントが発生する。
このとき、ベース70の底板72の下面に接着された緩衝部材90が、扉10の表面との間で押しつぶされることで、ストッパー部材60の衝突時の衝撃を吸収する。
その後、ストッパー部材60を手動で非突出状態に戻すことで、扉10を閉じることができる。
（第２の実施の形態）
つぎに、図４を用いて、本発明の第２の実施の形態について説明する。
【００４６】
本実施の形態の特徴は、ヒンジ部103を、図４に示すように、扉10の戸先側に位置させている点である。
すなわち、取付金具100の取付脚101を、先に図１〜３を用いて説明した第１の実施の形態とは、逆向きに突出させることで、ヒンジ部103を扉10の戸先側に位置させている。
なお、本実施の形態の説明では、先に図１〜３を用いて説明した第１の実施の形態と同一の構成部分については、同一の符号を付して説明を省略する。
【００４７】
本実施の形態によれば、戸枠20の衝突時には、ヒンジ部103を中心に支持プレート102を扉10の表面から離隔する方向に回転しようとするモーメントが発生する。
このとき、ベース70の下面に接着された緩衝部材90が、扉10の表面との間で伸縮することで、ストッパー部材60の衝突時の衝撃を吸収する。
（第３の実施の形態）
つぎに、図５〜７を用いて、本発明の第３の実施の形態について説明する。
【００４８】
本実施の形態の特徴は、図６及び図７に示すように、遠心力により突出したストッパー部材110を引き戻すための復帰バネ150を備えている点である。
すなわち、復帰バネ150を一端部を、図６及び図７に示すように、取付金具130に固定し、その他端部をワイヤー151を介して、ベース120から突出するストッパー部材110の後端部に固定する。
【００４９】
また、取付金具130の裏側には、先に図１〜３を用いて説明した第１の実施の形態とものと同様に、図６に示すように、緩衝部材140が接着されている。
なお、本実施の形態の説明では、先に図１〜３を用いて説明した第１の実施の形態と同一の構成部分については、同一の符号を付して説明を省略する。
ストッパー部材110が、図７に示すように、突出すると、復帰バネ150がばね力に抗して伸長する。
【００５０】
このため、扉10を少し開くと、復帰バネ150がばね復元力により、ストッパー部材110が引っ張られ、図示しないが、非突出状態に復帰する。
（第４の実施の形態）
つぎに、図８を用いて、本発明の第４の実施の形態について説明する。
本実施の形態の特徴は、先に図１〜３を用いて説明した第１の実施の形態の取付金具80を省き、図８に示すように、ベース160を緩衝部材170を介して扉10の表面に直接固定した点である。
【００５１】
すなわち、ベース160の下面に、図８に示すように、緩衝部材170を接着する。緩衝部材170は、扉10の表面に接着したり、或いは図示しないが、ネジや釘等を使用して固定する。
ベース160を、緩衝部材170を介して扉10の表面に固定することで、ベース160が扉10の表面から少し浮上した状態に取り付けられ、扉10に対して垂直方向に変位可能となる。
【００５２】
本実施の形態によれば、戸枠20の衝突時に、ベース160の下面に接着された緩衝部材170が、扉10の表面との間で押しつぶされることで、ストッパー部材60の衝突時の衝撃を吸収する。
【符号の説明】
【００５３】
（第１の実施の形態）
10  扉
20  戸枠              21  扉開口
30  指挟み防止装置    40  装置本体
50  ケース            60  ストッパー部材
61  大径部            62  軸部
63  抜止部            64  クッション材
70  ベース            71  貫通孔
72  底板
80  取付金具
81  取付脚            82  支持プレート
83  ヒンジ部
90  緩衝部材
（第２の実施の形態）
100  取付金具
101  取付脚           102  支持プレート
103  ヒンジ部
（第３の実施の形態）
110  ストッパー部材   120  ベース
130  取付金具         140  緩衝部材
150  復帰バネ         151  ワイヤー
（第３の実施の形態）
160  ベース           170  緩衝部材
【図１】
2010174600.tif 000003
【図２】
2010174600.tif 000004
【図３】
2010174600.tif 000005
【図４】
2010174600.tif 000006
【図５】
2010174600.tif 000007
【図６】
2010174600.tif 000008
【図７】
2010174600.tif 000009
【図８】
2010174600.tif 000010